(57)【要約】【課題】異なる機種間で一方の撮像装置の撮像設定を他方の撮像装置の撮像設定に反映可能とする画像処理制御装置および画像処理制御プログラムを提供する。【解決手段】第１の撮像装置に関して利用者の撮影画像に関する好みが反映された撮影特性情報を受け取る特性情報受付手段と、撮影特性情報と、別の第２の撮像装置に備えられた撮影画像の特徴にかかわる各機能に関する機能特性情報とに基づいて、撮影特性情報が適用された第１の撮像装置で得られる撮影画像と同等の撮影画像を第２の撮像装置で得るために各機能について設定すべき設定値を特定する設定値特定手段と、設定値特定手段によって特定された設定値に基づいて、第２の撮像装置に備えられた各機能に関する設定を実行する設定反映手段とを備える。また、上述した各手段に対応する処理をコンピュータに実行させるステップを備えて画像処理制御プログラムを構成する。【選択図】      図１
2008154057.tif 000002
【特許請求の範囲】
【請求項１】
第１の撮像装置に関して利用者の撮影画像に関する好みが反映された撮影特性情報を受け取る特性情報受付手段と、
前記撮影特性情報と、別の第２の撮像装置に備えられた撮影画像の特徴にかかわる各機能に関する機能特性情報とに基づいて、前記撮影特性情報が適用された前記第１の撮像装置で得られる撮影画像と同等の撮影画像を前記第２の撮像装置で得るために前記各機能について設定すべき設定値を特定する設定値特定手段と、
前記設定値特定手段によって特定された設定値に基づいて、前記第２の撮像装置に備えられた各機能に関する設定を実行する設定反映手段と
を備えたことを特徴とする画像処理制御装置。
【請求項２】
請求項１に記載の画像処理制御装置において、
前記特性情報受付手段は、前記第１の撮像装置の機種を示す機種情報と前記第１の撮像装置に備えられた画像処理機能それぞれについて設定された機能設定情報とを含む撮影特性情報を受け取り、
前記設定値特定手段は、撮像装置の機種ごとにそれぞれの撮像装置に備えられた撮像および画像処理にかかわる機能の特徴を表す特性情報を格納する特性情報データベースを備えた
ことを特徴とする画像処理制御装置。
【請求項３】
請求項１に記載の画像処理制御装置において、
前記設定値特定手段および前記設定反映手段は、前記第２の撮像装置に備えられており、
前記特性情報受付手段は、
前記第２の撮像装置と前記第１の撮像装置との間で情報の授受を行う通信手段と、
前記通信手段を介して、前記第１の撮像装置にかかわる撮影特性情報を収集して、前記設定値特定手段の処理に供する収集手段とを備えた
ことを特徴とする画像処理制御装置。
【請求項４】
請求項１に記載の画像処理制御装置において、
前記特性情報受付手段は、前記第１の撮像装置によって撮影された画像を記録した記憶媒体から前記画像を表す画像データとともに記録された撮影特性情報を抽出する情報抽出手段を備えた
ことを特徴とする画像処理制御装置。
【請求項５】
第１の撮像装置に関して利用者の撮影画像に関する好みが反映された撮影特性情報を受け取る特性情報受付ステップと、
前記撮影特性情報と、別の第２の撮像装置に備えられた撮影画像の特徴にかかわる各機能に関する機能特性情報とに基づいて、前記撮影特性情報が適用された前記第１の撮像装置で得られる撮影画像と同等の撮影画像を前記第２の撮像装置で得るために前記各機能について設定すべき設定値を特定する設定値特定ステップと、
前記設定値特定手段によって特定された設定値に基づいて、前記第２の撮像装置に備えられた各機能に関する設定を実行する設定反映ステップと
をコンピュータに実行させることを特徴とする画像処理制御プログラム。
【発明の詳細な説明】
【技術分野】
【０００１】
本発明は、デジタルカメラなどの撮像装置において、撮影画像の色合いや明るさなどにかかわる撮像特性を調整する画像処理制御装置および画像処理制御プログラムに関する。
【背景技術】
【０００２】
デジタルカメラなどの撮像装置は、多くのメーカから多種多様な製品が次々と発売されており、また、個々の製品ごとに特色となる機能や色再現性などが異なっている。
その一方、撮影された画像の色合いや輪郭の鮮明さなどに関する個々の利用者の好みは、まさに千差万別であるため、それぞれのデジタルカメラは、撮影された画像を利用者の好みに合わせて調整するための仕組みを用意している。このような仕組みは、例えば、色合いや明暗の階調表現、輪郭の鮮明さなどについてそれぞれ複数のモードを用意し、その中の一つを利用者からの指示に応じて選択したり、更に、利用者からの指示に応じて、各モードでの標準的な値から色合いなどを表すパラメータを微調整したりする機能として提供されている。
【０００３】
更に、所定のカラーチャートを撮影した画像をパーソナルコンピュータに取り込み、この取り込んだ画像データについて、利用者が色相、彩度および明度などを個々に調整し、この調整結果に一致するように撮像装置側のパラメータを決定することにより、上述したような各設定項目にかかわる制限を離れて、利用者が所望する色再現特性を自由に設定する技術(特許文献１参照)も提案されている。
【特許文献１】特開２００５−１０１８２８号公報
【発明の開示】
【発明が解決しようとする課題】
【０００４】
従来のデジタルカメラの開発においては、新製品自体の性能向上が重視されているので、既存製品との互換性についてはあまり考慮されていなかった。
ところで、上述したようにして個々のデジタルカメラなどに設定された情報には、それぞれの利用者の撮影画像に関する好みが反映されており、このような好みは、利用者が新しく発売された機種に買い換えたからといって変化するものではない。このため、買い替え後のデジタルカメラによる撮影画像に、使い慣れたデジタルカメラの設定を反映させたいという要望があった。
【０００５】
このような要望に応えるために、旧機種の各設定項目の代表的な設定値について、新製品での対応する設定項目と設定値の例とを表形式で示し、利用者がこの表を参照しつつ、新しいデジタルカメラの各設定項目を設定していく方法がある。
しかしながら、表を参照する方法では、互換性が保証される範囲は表に示された少数の例に限られる上、利用者は、細かい設定項目を一つ一つ確認しながら煩雑な作業をしなければならない。
【０００６】
また一方、特許文献１の技術を利用する場合は、更に、利用者がカメラの各種の設定情報について極めて高度な知識を持っていることが前提となる。
本発明は、異なる機種間で一方の撮像装置の撮像設定を他方の撮像装置の撮像設定に反映可能とする画像処理制御装置および画像処理制御プログラムを提供することを目的とする。
【課題を解決するための手段】
【０００７】
本発明にかかわる第１の画像処理制御装置は、以下のように構成される。
特性情報受付手段は、第１の撮像装置に関して利用者の撮影画像に関する好みが反映された撮影特性情報を受け取る。設定値特定手段は、撮影特性情報と、別の第２の撮像装置に備えられた撮影画像の特徴にかかわる各機能に関する機能特性情報とに基づいて、撮影特性情報が適用された第１の撮像装置で得られる撮影画像と同等の撮影画像を第２の撮像装置で得るために各機能について設定すべき設定値を特定する。設定反映手段は、設定値特定手段によって特定された設定値に基づいて、第２の撮像装置に備えられた各機能に関する設定を実行する。
【０００８】
本発明にかかわる第２の画像処理制御装置は、以下のように構成される。
上述した第１の画像処理制御装置において、特性情報受付手段は、第１の撮像装置の機種を示す機種情報と第１の撮像装置に備えられた画像処理機能それぞれについて設定された機能設定情報とを含む撮影特性情報を受け取る。設定値特定手段に備えられた特性情報データベースは、撮像装置の機種ごとにそれぞれの撮像装置に備えられた撮像および画像処理にかかわる機能の特徴を表す特性情報を格納する。
【０００９】
本発明にかかわる第３の画像処理制御装置は、以下のように構成される。
上述した第１の画像処理制御装置において、設定値特定手段および設定反映手段は、第２の撮像装置に備えられる。特性情報受付手段において、通信手段は、第２の撮像装置と第１の撮像装置との間で情報の授受を行う。収集手段は、通信手段を介して、第１の撮像装置にかかわる撮影特性情報を収集して、設定値特定手段の処理に供する。
【００１０】
本発明にかかわる第４の画像処理制御装置は、以下のように構成される。
上述した第１の画像処理制御装置に備えられた特性情報受付手段において、情報抽出手段は、第１の撮像装置によって撮影された画像を記録した記憶媒体から画像を表す画像データとともに記録された撮影特性情報を抽出する。
本発明にかかわる第１の画像処理制御プログラムは、以下のように構成される。
【００１１】
第１の撮像装置に関して利用者の撮影画像に関する好みが反映された撮影特性情報を受け取る特性情報受付ステップと、撮影特性情報と、別の第２の撮像装置に備えられた撮影画像の特徴にかかわる各機能に関する機能特性情報とに基づいて、撮影特性情報が適用された第１の撮像装置で得られる撮影画像と同等の撮影画像を第２の撮像装置で得るために各機能について設定すべき設定値を特定する設定値特定ステップと、設定値特定手段によって特定された設定値に基づいて、第２の撮像装置に備えられた各機能に関する設定を実行する設定反映ステップとをコンピュータに実行させる。
【発明の効果】
【００１２】
本発明にかかわる画像処理制御装置および画像処理制御プログラムによれば、例えば、利用者がデジタルカメラを買い換えたときに、使い慣れた旧機種のデジタルカメラの撮像にかかわる設定値を新しいデジタルカメラに引き継ぐことにより、新しいデジタルカメラについて改めて好みを設定することなしに、使い慣れた旧機種に関する設定値に反映された撮影画像に関する利用者の好みを忠実に反映した撮影画像を新しいデジタルカメラによって得ることができる。
【００１３】
これにより、画質や色合いなどに関する好みを撮影画像に反映させるための煩雑な設定作業から利用者を解放し、旧機種から新機種への移行を強力に支援することができる。
【発明を実施するための最良の形態】
【００１４】
以下、図面に基づいて、本発明の実施形態について詳細に説明する。
（第１の実施形態）
図１に、本発明にかかわ画像処理制御装置の第１の実施形態を示す。
図１に示す画像処理制御装置は、例えば、利用者のパーソナルコンピュータ（ＰＣ）２０に新機種のデジタルカメラ１２に添付されたソフトウェアに含まれる設定値移行用の画像処理制御プログラムをインストールすることによって実現される。
【００１５】
以下、パーソナルコンピュータ２０上に実現された画像処理制御装置の詳細構成およびこの画像処理制御装置による設定値移行処理について詳細に説明する。
図２に、設定値移行動作を表す流れ図を示す。
図１に示した画像処理制御装置の設定情報抽出部２３は、パーソナルコンピュータ２０に備えられたＵＳＢインタフェース(Ｉ／Ｆ)２１に接続されたカードリーダ２２を介して、メモリカード１１に記録された移行元のデジタルカメラ(図示せず)で撮影された画像データを含む画像ファイルから、この移行元のデジタルカメラにおいて利用者の好みを撮影画像に反映させるために設定された各設定値を含む撮影特性情報を抽出し、移行処理制御部２４に渡す(図２のステップＳ１)。
【００１６】
図１に示した移行処理制御部２４は、ＵＳＢインタフェース２１を介して接続された移行先のデジタルカメラ１２からこのデジタルカメラ１２の機種を示す機種情報を受け取る(ステップＳ２)。
次いで、移行処理制御部２４は、ステップＳ１で得られた撮影特性情報に含まれている移行元のデジタルカメラの機種を示す機種情報とステップＳ２で得られた移行先のデジタルカメラ１２の機種情報とに基づいて、それぞれのデジタルカメラに備えられた撮像素子および分光フィルタを特定する情報を特性情報データベース２５から検索する(ステップＳ３)。
【００１７】
ここで、図１に示した特性情報データベース２５には、少なくとも移行先のデジタルカメラ１２と移行元のデジタルカメラとを含む複数の機種を示す機種情報に対応して、ここのデジタルカメラに搭載された素子および機能の種別を示す種別情報およびそれらの特性を示す特性情報や各機能を提供するために必要とされるアルゴリズムや関数データを含む様々な情報が格納されている。
【００１８】
例えば、特性情報データベース２５には、移行元のデジタルカメラおよび移行先のデジタルカメラ１２の機種情報にそれぞれ対応してこれらのデジタルカメラにそれぞれ搭載されている撮像素子の種別ＩＤおよび分光フィルタの種別ＩＤが格納されているので、移行処理制御部２４は、機種情報に基づいて、これらの種別ＩＤを検索することができる。
移行元のデジタルカメラと移行先のデジタルカメラ１２とに搭載されている撮像素子および分光フィルタを示す機種ＩＤが一致しない場合に(ステップＳ４の否定判定)、移行処理制御部２４は、デジタルカメラ１２の撮像素子で得られた色信号を移行元のデジタルカメラの撮像素子で得られる色信号に変換する処理が必要となると判断し、必要な変換係数の算出を図１に示した変換係数算出部２６に指示する。
【００１９】
このとき、移行処理制御部２４により、移行元および移行先のデジタルカメラに対応する撮像素子および分光フィルタの特性情報が特性情報データベース２５から検索され、これらの特性情報が、変換係数算出部２６に渡される。これに応じて、この変換係数算出部２６により、デジタルカメラ１２の撮像素子で得られた色信号を移行元のデジタルカメラの撮像素子で得られる色信号に変換するための変換係数が算出され(ステップＳ５)、算出された変換係数は、図１に示した設定処理部２８に渡されてＵＳＢインタフェース２１を介して移行先のデジタルカメラ１２に設定され、その後、処理はステップＳ６に進む。
【００２０】
一方、移行元のデジタルカメラと移行先のデジタルカメラ１２とに搭載されている撮像素子および分光フィルタを示す機種ＩＤが一致する場合に(ステップＳ４の肯定判定)、移行処理制御部２４は、これらが同等であると判断し、そのままステップＳ６に進む。
ステップＳ６において、移行処理制御部２４は、移行元および移行先のデジタルカメラの機種情報に基づいて、特性情報データベース２５から両者においてそれぞれ適用されているホワイトバランス(ＷＢ)調整アルゴリズムの種別を示すＷＢ種別情報を検索する(ステップＳ６)。
【００２１】
検索されたＷＢ種別情報で示されるホワイトバランス調整アルゴリズムが移行元と移行先とで異なっている場合に(ステップＳ７の否定判定)、移行処理制御部２４は、ホワイトバランス調整アルゴリズムの置き換え処理が必要であると判断する。このとき、移行処理制御部２４により、特性情報データベース２５から移行元のデジタルカメラに適用されているホワイトバランス調整アルゴリズムが検索されて設定処理部２８に渡され、これに応じて、設定処理部２８により、このホワイトバランス調整アルゴリズムがＵＳＢインタフェース２１を介して移行先のデジタルカメラ１２に転送され、アルゴリズムの置き換えが実行される(ステップＳ８)。このようにして、ホワイトバランス調整アルゴリズムの置き換え処理が完了した後に、移行処理は、ステップＳ９に進む。
【００２２】
一方、両者のＷＢ種別情報が一致する場合に(ステップＳ７の肯定判定)、移行処理制御部２４は、ホワイトバランス調整アルゴリズムの置き換えは不要と判断し、そのままステップＳ９に進む。
ステップＳ９において、移行処理制御部２４は、まず、移行元のデジタルカメラに関する撮影特性情報に含まれる階調特性設定情報に基づいて、特性情報データベース２５に移行元のデジタルカメラを示す機種情報に対応して格納されているガンマ関数セットの中から階調特性設定情報に対応するガンマ関数を検索する。次いで、移行処理制御部２４は、設定処理部２８およびＵＳＢインタフェース２１を介してこのガンマ関数を表す情報を移行先のデジタルカメラ１２に渡すことにより、移行元のデジタルカメラにおいて利用者によって選択されていたガンマ関数を移行先のデジタルカメラ１２のガンマ関数セットに追加する。
【００２３】
その後、移行処理制御部２４は、移行元および移行先のデジタルカメラそれぞれの機種情報に対応して特性情報データベース２５に格納された色合いパラメータの定義情報を読み出して、移行元のデジタルカメラから受け取った撮影特性情報に含まれている色合いパラメータとともに図１に示したパラメータ算出部２７に渡し、色合いパラメータの算出処理を指示する。これに応じて、このパラメータ算出部２７は、これらの定義情報と移行元のデジタルカメラにおける色合いパラメータとに基づいて、移行元のデジタルカメラにおけるこの色合いパラメータと同等の色合いを移行先のデジタルカメラ１２において設定するための新しい色合いパラメータを算出する。このようにして算出された新しい色合いパラメータは、設定処理部２８およびＵＳＢインタフェース２１を介して移行先のデジタルカメラ１２に渡され、このデジタルカメラ１２の色合いパラメータとして設定される。
【００２４】
このようにして、移行元のデジタルカメラから移行先のデジタルカメラ１２への設定情報の移行処理が完了し、利用者は、上述したようにして設定情報が継承されたデジタルカメラ１２を用いて、使い慣れた移行元のデジタルカメラでの設定情報が反映された撮影画像を取得することができる。
なお、上述した色信号変換係数、ホワイトバランス調整アルゴリズム、γ関数および色合いパラメータは、撮影画像に影響を与える撮影特性情報の例であり、これらの情報に加えて、更なる設定情報を継承させることも可能である。
【００２５】
また、色信号変換係数の算出および設定、ホワイトバランス調整アルゴリズムの置き換え、ガンマ関数データの追加および色合いパラメータの設定を、図２に示した流れ図と異なる順序で実行することも可能である。また、撮影特性情報で示されたガンマ関数データが、移行先のデジタルカメラ１２に搭載されたガンマ関数セットに含まれていないときにのみ、ガンマ関数データの追加を行うこともできる。
【００２６】
また、図１に示した特性情報データベース２５には、移行先のデジタルカメラ１２に本来備えられている色信号変換係数やホワイトバランス調整アルゴリズムおよびガンマ関数セットに関する情報が格納されているので、必要に応じて、上述したようにして設定された移行元のデジタルカメラをエミュレートするための設定情報に代えて、本来の設定情報を適用することにより、デジタルカメラ１２が本来持っている機能をフルに発揮させることもできる。
【００２７】
また、例えば、カメラ販売店に設定されたパーソナルコンピュータに図１に示した画像処理制御装置を実現するソフトウェアをインストールして、上述したような設定値移行処理を店頭サービスとして行うことも可能である。
また一方、移行元のデジタルカメラに備えられたＵＳＢ接続機能を利用して、図３に示すように、パーソナルコンピュータ２０に備えられたＵＳＢインタフェース２１を介して移行元のデジタルカメラ１３と画像処理制御装置とを接続し、移行元のデジタルカメラ１３から設定情報を抽出して、移行先のデジタルカメラ１２の設定情報に反映することも可能である。
（第２の実施形態）
図４に、本発明にかかわる画像処理制御装置の第２の実施形態を示す。
【００２８】
なお、図４に示す構成要素のうち、図１に示した各部と同等のものについては、図１に示した符号を付して示し、その説明を省略する。
図４に示す画像処理制御装置は、例えば、利用者や販売店のパーソナルコンピュータ２０上に形成された設定情報収集部３１および設定処理部２８が、通信処理部３２およびネットワークを介してメーカが提供するＷＥＢサーバ４０と連携することによって実現される。
【００２９】
図４に示したパーソナルコンピュータ２０において、設定情報収集部３１および設定処理部２８は、移行先のデジタルカメラ１２に添付された移行処理用のソフトウェアをインストールすることによって形成される。
図４に示した設定情報収集部３１は、カードリーダ２２を介してメモリカード１１に記録された画像がいるから移行元のデジタルカメラ(図示せず)にかかわる撮影特性情報(移行元のデジタルカメラの機種情報を含む)を収集するとともに、ＵＳＢインタフェース２１を介して接続された移行先のデジタルカメラ１２からこのデジタルカメラ１２の機種情報を収集し、ＷＥＢサーバ４０を宛先として、収集した撮影特性情報と機種情報とを通信処理部３２を介してネットワークに送出する。
【００３０】
このようにしてネットワークに送出された撮影特性情報および移行先の機種情報は、図４に示したＷＥＢサーバ４０の通信処理部４１を介して移行処理制御部２４に渡され、この移行処理制御部２４と変換係数算出部２６とパラメータ算出部２７とにより、ＷＥＢサーバ４０に備えられた特性情報データベース２５に登録された情報に基づいて、図２に示したステップＳ３〜ステップＳ９の処理が行われる。
【００３１】
このとき、移行処理制御部２４が特性情報データベース２５から必要に応じて検索したホワイトバランス調整アルゴリズムやガンマ関数データ、変換係数算出部２６によって算出された変換係数およびパラメータ算出部２７によって算出された色合いパラメータは、通信処理部４１およびネットワークを介してパーソナルコンピュータ２０に渡され、このパーソナルコンピュータ２０に形成された設定処理部２８によって、移行先のデジタルカメラ１２に設定される。
（第３の実施形態）
図５に、本発明にかかわる画像処理制御装置の第３の実施形態を示す。
【００３２】
なお、図５に示す構成要素のうち、図１に示した各部と同等のものについては、図１に示した符号を付して示し、その説明を省略する。
図５に示した画像処理制御装置は、移行先のデジタルカメラ１２の内部に、このデジタルカメラ１２の制御ソフトウェアの一部として実現されている。
図５に示したデジタルカメラ１２において、通信処理部５１は、デジタルカメラ相互で情報の授受を行う相互通信機能を提供しており、画像処理制御装置に備えられた設定情報抽出部２３は、この通信処理部５１を介して移行元のデジタルカメラ１３からこのデジタルカメラ１３に設定された様々な設定値およびこのデジタルカメラ１３の機種を示す機種情報を含む撮影特性情報を抽出し、移行処理制御部２４と変換係数算出部２６とパラメータ算出部２７とによる設定値算出処理(図２に示したステップＳ３〜ステップＳ９参照)に供する。
【００３３】
このとき、移行処理制御部２４が特性情報データベース２５から必要に応じて検索したホワイトバランス調整アルゴリズムやガンマ関数データ、変換係数算出部２６によって算出された変換係数およびパラメータ算出部２７によって算出された色合いパラメータは、設定処理部２８により、デジタルカメラ１２の内部に設けられた画像処理部５２に渡され、この画像処理部５２による処理に反映される。
【産業上の利用可能性】
【００３４】
以上に説明したように、本発明にかかわる画像処理制御装置および画像処理制御プログラムによれば、移行元のデジタルカメラにおいて利用者の撮影画像に関する好みを反映している様々な設定値を機種の違いを考慮して移行先のデジタルカメラに継承させることができるので、デジタルカメラの買い替えなどに伴う様々なパラメータの再設定作業から利用者を解放し、利用者に対するサービス性を向上することができる。
【図面の簡単な説明】
【００３５】
【図１】本発明にかかわる画像処理制御装置の第１の実施形態を示す図である。
【図２】設定値移行動作を表す流れ図である。
【図３】本発明にかかわる画像処理制御装置の別実施形態を示す図である。
【図４】本発明にかかわる画像処理制御装置の第２の実施形態を示す図である。
【図５】本発明にかかわる画像処理制御装置の第３の実施形態を示す図である。
【符号の説明】
【００３６】
１１…メモリカード、１２、１３…デジタルカメラ、２０…パーソナルコンピュータ(ＰＣ，２１…ＵＳＢインタフェース(Ｉ／ｆ)，２２…カードリーダ、２３…設定情報抽出部、２４…移行処理制御部、２５…特性情報データベース、２６…変換係数算出部、２７…パラメータ算出部、２８…設定処理部、３１…設定情報収集部、３２、４１、５１…通信処理部、４０…ＷＥＢサーバ、５２…画像処理部。
【図１】
2008154057.tif 000003
【図２】
2008154057.tif 000004
【図３】
2008154057.tif 000005
【図４】
2008154057.tif 000006
【図５】
2008154057.tif 000007